(57)【要約】      （修正有）【課題】簡易な部材を用いて一月分の薬剤の服用を忘却しないように的確に服用管理する服用チェックシートおよび薬剤容器を提供する。【解決手段】服用チェックシート１０１は、略正方形の領域に１〜３１の数字が付されたセル１０２に分割されており、このセル１０２は服用した際に何らかの印を記してチェックを行うためのフィールド１０３を備えている。本実施形態では各セルは７列×５行のマトリックス上に配置され、各セル１０２に付された数字は左から右へ、および上から下へ連続して付されるが、数字が連続して付される限り、列数および行数は任意の数とすることができる。【選択図】図１
0003233159.tif 000002
【実用新案登録請求の範囲】
【請求項１】
薬剤容器の表面に配置するための服用チェックシートであって、
日付ごとに、薬剤を服用するときに印を付すチェックセルを連続して１か月分配列する服用チェック部を備えることを特徴とする服用チェックシート。
【請求項２】
薬剤を充填する本体と、
前記本体表明に付された、日付ごとに、服用を摂取するときに印を付すチェックセルを連続して１か月分配列する服用チェック部と
備えることを特徴とする薬剤容器。
【考案の詳細な説明】
【技術分野】
【０００１】
本考案は、服用チェックシートおよび薬剤容器に関し、より具体的には、定期的な薬剤の服用の際に服用管理を行うために用いられる服用チェックシートおよび薬剤容器に関する。
【背景技術】
【０００２】
疾病の治癒や健康維持などのため、処方に基づいて薬剤を服用する場合、処方された薬剤を、処方に合わせて的確に服用管理することが必要であるが、服用が必要な薬剤を日常生活を営みながら、忘却することなく服用することは必ずしも容易ではなく、どうしても飲み忘れにより薬剤が余ってしまったり、多く服用しすぎたりするようなことが度々発生する。このため、このような服用を的確に管理するための様々な部材や容器が提案されている。
【０００３】
例えば、薬を服用するに当たり１回分の適量を予め分けておくのが望ましいが、従来は、毎回紙袋から取り出しそれぞれ必要量を分けて服用する事が多いので、飲み忘れ又は２度飲み等が発生し易いといった課題を防止することを目的とし、日曜日から土曜日までの１週間を朝、昼、夜、寝前と明記し各枠の中に適量を１週間分小分けし一目で飲み忘れ等が解る様にしたくすりカレンダーが開示されている（例えば、特許文献1参照）。また、構造及び操作が単純で、薬品容器のキャップなどに容易に取り付けることが可能な、ダイヤル式カレンダーを提供し、併せて服用すべき曜日や服用の有無の確認が容易な、ダイヤル式カレンダー付の薬品容器を提供することを目的とし、周縁部に少なくとも１週間分の曜日を表示した第一の円盤と、前記第一の円盤を覆い、前記曜日の一つを視認可能とする表示窓を有する第二の円盤が同心に配され、前記第一の円盤と前記第二の円盤の、少なくともいずれか一方が回転可能であることを特徴とするダイヤル式カレンダーを、薬品容器のキャップなどに接合する技術が提案されている（例えば、特許文献２参照）。さらに、患者本人の曖昧な記憶に頼らず同居の家族にも服用状況が一目でわかるようにした薬の飲み忘れや二度飲みを防止するカセットケース付きカレンダーを提供することを目的とし、どの月でも表示可能な一か月用のカレンダー基盤に曜日を記入し、その下に指で回転できるロール式の日付表示ベルトを設け、さらにその下に開閉式の透明なカセットケースを設置して薬一日分の用量だけを小分けして入れておき、この一か月用カレンダー二台をワンセットとすることにより、どの年のどの日付から服用を開始しても対応が可能な内服薬の飲み忘れや二度飲みを防止するカセットケース付きカレンダーが提案されている（例えば、特許文献３参照）。
【先行技術文献】
【特許文献】
【０００４】
【特許文献１】実開平８−４９０号公報
【特許文献２】特開２０１４−４３０５号公報
【特許文献２】特開２０１３−２４８８７３号公報
【考案の概要】
【考案が解決しようとする課題】
【０００５】
しかし、慢性的な疾病や健康管理のための服薬は長期にわたるため、処方は月単位となることが多く、週単位の管理では対応しきれないという問題がある。また、カセットケース付きカレンダーでは、薬剤を小分けするため大きな面積が必要となり嵩張り、そもそも使用する前提として予め処方された薬剤を小分けしなければならなず手間がかかるという問題がある。
【０００６】
本考案は上記従来の問題に鑑みてなされたものであり、簡易な部材を用いて一月分の薬剤の服用を忘却しないように的確に服用管理することが可能な、服用チェックシートおよび薬剤容器を提供することを目的とする。
【課題を解決するための手段】
【０００７】
上述の課題を解決するために、本願の請求項１に記載の考案は、薬剤容器の表面に配置するための服用チェックシートであって、日付ごとに、薬剤を服用するときに印を付すチェックセルを連続して１か月分配列する服用チェック部を備えることを特徴とする。
【０００８】
請求項２に記載の考案は、薬剤容器であって、薬剤を充填する本体と、前記本体表明に付された、日付ごとに、服用を摂取するときに印を付すチェックセルを連続して１か月分配列する服用チェック部と備えることを特徴とする。
【考案の効果】
【０００９】
本考案によると、日付ごとに、薬剤を服用するときに印を付すチェックセルを連続して１か月分配列する服用チェック部を備えるので、簡易な部材を用いて少なくとも一月分の薬剤の服用を忘却しないように的確に服用管理することができる。
【図面の簡単な説明】
【００１０】
【図１】本考案の一実施形態の服用チェックシートの一例を示す図である。
【図２】本考案の一実施形態の服用チェックシートを付した薬剤容器の一例を示す図である。
【図３】本考案の別の実施形態の服用チェックシートの一例を示す図である。
【図４】本考案の別の実施形態の服用チェックシートの別の例を示す図である。
【考案を実施するための形態】
【００１１】
以下、本考案の服用チェックシートおよび薬剤容器について図面を参照して実施形態を説明する。
【００１２】
（第１実施形態）
本実施形態は、一定期間以上毎日薬剤を服用する場合の飲み忘れ防止のための服用チェックシートおよび服用チェックシートを付した薬剤容器に係るものであり、本実施形態の服用チェックシートは、その特徴的構成により適切な服用管理の支援が可能となる。
【００１３】
（服用チェックシートの構成）
図１は、本考案の一実施形態の服用チェックシートの一例を示す図である。図１に示すように本実施形態の服用チェックシート１０１は、略正方形の領域が１〜３１の数字を付したセル１０２に分割されており、このセル１０２には服用した際に何らかの印を記してチェックを行うためのフィールド１０３が備えられている。本実施形態では各セルは７列×５行のマトリックス上に配置され、各セル１０２に付された数字は左から右へ、および上から下へ連続して付されるが、数字が連続して付される限り、列数および行数は本実施形態で知られた任意の数とすることができる。例えば、図１に示すセル１０２は、列の設定を１週間として７列にしているが、２週間として１４列等とすることもできるし、これに限られず他の数とすることもできる。また、図１に示すチェックフィールド１０３は、円形であるが、これに限られることなく任意の形状や寸法とすることができ、空白以外でも任意の色彩を施すこともできるし、フィールドを画す線等を付さなくてもよい。
【００１４】
さらに、図１では左上部を１日として最下行を２９日〜３１日としているが、これに限られず左上部を１日以外の日付で開始することもできる。また、日付の進む方向は本実施形態では左から右および上から下へと連続して付されるが、これに限られず右から左および下から上へとする等任意の方向に連続配置させることができる。チェックセル１０３の領域の形状も、図１では略正方形になっているがこれに限られず、セル１０３の形状も含め任意の形状とすることができる。この略正方形の領域の寸法は、服用チェックシート１０１が付される薬剤容器に合わせて任意のものとすることができる。例えば、３ｃｍ四方〜２０ｃｍ四方などとすることもできるが、これに限られることなく服用時に手書きで容易に印を書き込むことができる寸法のフィールドが確保できればいずれの寸法とすることもできる。
【００１５】
このような構成を有する服用チェックシート１０１は、素材としては紙やコーティング紙とすることができるが、これに限られず薬剤容器に張付けられて毎日使用され、かつチェックが容易な素材であれば、樹脂その他の本技術分野で知られたいずれの素材も使用することができる。服用チェックシート１０１は予め裏面に接着剤を塗布しておいて、薬剤容器に貼付けることができるようにしておくこともできるし、シートの素材や容器の素材によってはその他十分な強度で貼付け可能な任意の方法で張付けることができる。
【００１６】
さらに、服用チェックシート１０１は、具体的な何らかの素材を用いて形成されたシートのみならず概念的なシートも含めることができる。すなわち、いずれかの素材で形成された服用チェックシート１０１を薬剤容器に貼付けることに加え、薬剤容器に直接印刷などの手法で描画することもできる。図２は、本考案の一実施形態の服用チェックシートを付した薬剤容器の一例を示す図である。図２に示すように、本実施形態の服用チェックシート１０１は、薬剤容器２０１の表面に付すことにより、適切な服用管理の支援に資することができる。すなわち、薬剤容器と別個に服用チェックシート１０１を備えて管理したのでは、チェックの手間が増大し、どのように優れた服用チェック機構を設けても適切な服用管理ができない。そこで、本実施形態では、薬剤容器に付して薬剤を服用時にすぐにチェックすることができるように簡素な形で服用時にすぐに服用チェックを行うことができるようしたので、適切な服用管理が可能となった。さらに、薬剤容器にチェックシートを直接貼付けるとともに、服用チェックシート自体を適切な形状、配列寸法とした。
【００１７】
また、本実施形態では、薬剤容器に１枚しか服用チェックシートを付していないが、これに限られず複数枚付すことにより、複数月の服用管理を行うことも可能とすることができる。
【００１８】
（服用チェックシートによる服用管理）
上述の、服用チェックシートを用いて行う服用管理について説明する。薬剤容器２０１には服用チェックシート１０１が付され、容器内に服用する薬剤が最大で１か月分充填されているものとする。一般的に薬剤の服用は一日に複数回、様々なタイミングで行われることがあるが、本実施形態では、１日のうちで服用者にとってより適切な時間帯に服用チェックがなされる。本来は、一日複数回服用する場合はその都度チェックする方が管理としては正確であるが、本実施形態ではチェックを１日１回にすることにより、チェックの手間を極力減らして確実な運用を担保することができる。チェックは服用した日付のチェック欄１０３に手書きなどで印を付すことにより行う。例えば、ある月の１０日から服用を開始するとすると、１０日のチェック欄１０４にチェックが行われ、翌日はその隣の１１日のチェック欄１０５にチェックが行われる。２８日または３０日までの月は、２９から３１日または３１日はチェックされずに、翌月は１日からチェックをすれば、その月の日数の如何にかかわらず適切に服用管理することができる。1カ月分のチェックが終了した後は、新たな服用チェックシートを貼りなおすか、重ねて貼り付ける等して、続けて使用することもできる。このように、本実施形態では、服用者に複雑な操作を行わせることなく単にその日付にチェックするだけであるため、毎日容易に継続することができ、その結果服用したか否かを正確に記録することができるので、簡潔ながら適切な服用管理が可能となる。
【００１９】
（第２実施形態）
本実施形態は、上述の第１実施形態と同様に、薬剤容器に付す服用チェックシートに係るものであるが、１日のチェック数が異なる。すなわち、第１実施形態では、服用チェックを１日１回するように、日ごとのチェックセルには１つのチェック欄が含まれているが、本実施形態では複数のチェック欄が含まれる。以上のように、本実施形態と、第１実施形態とでは、チェック欄の数が異なるが、それ以外の事項は同様であり、そのまま本考案を適用することができる。
【００２０】
図３は、本考案の別の実施形態の服用チェックシートの一例を示す図であり、図４は、本実施形態の服用チェックシートの別の例を示す図である。図３に示すように本実施形態の服用チェックシート３０１は、矩形の領域が１〜３１の数字を付したセルに分割されており、このセルには服用した際に何らかの印を記してチェックを行うため、朝用のフィールド３０２、昼用のフィールド３０３および晩用のフィールド３０４が配列されており、朝昼晩と１日３回の服用を管理することができるようになっている。また、さらに別の例として１日２回の服用を管理することができるような服用チェックシートを提供することもできる。図４を参照すると、本実施形態の別の例の服用チェックシート４０１は、矩形の領域が１〜３１の数字を付したセルに分割されており、このセルには服用した際に何らかの印を記してチェックを行うため、朝用のフィールド４０２および晩用のフィールド４０３が配列されており、朝晩と１日２回の服用を管理することができるようになっている。以上の２つの例の服用チェックシートでは、チェック欄が１日あたり３つまたは２つあり、朝昼晩または朝晩等でチェックを分けることができるが、これに限られず起床時、就寝時やその他服用する薬剤に合わせたタイミングで使用することができ、または１日あたりの個数も様々にとることができる。このように、１日に薬剤を服用する回数に合わせてチェック欄を設けることにより、より正確な服用管理が可能となる。
【符号の説明】
【００２１】
１０１、３０１、４０１    服用チェックシート
１０２    チェックセル
１０３、１０４、１０５、３０２、３０３、３０４、４０２、４０３    チェック欄
２０１    薬剤容器
【図１】
0003233159.tif 000003
【図２】
0003233159.tif 000004
【図３】
0003233159.tif 000005
【図４】
0003233159.tif 000006